(57)【要約】【課題】容器を気密性の高い構造のものにすることなく、オゾンガスが容器から漏洩することを防止することを課題とする。【解決手段】オゾンガスを容器２内に供給して、容器２内の原水にオゾンガスを溶解させてオゾン水を生成するように構成される、オゾン水生成装置１であって、オゾン分解触媒７と排気ファン８とを備え、容器２内における原水に溶解されないオゾンガスを排気ファン８で吸引するとともにオゾン分解触媒７で酸素に分解して容器２外に排気するように構成される、オゾンガス処理ユニット６を具備するものである。【選択図】図１
2014195799.tif 000002
【特許請求の範囲】
【請求項１】
オゾンガスを容器内に供給して、前記容器内の原水にオゾンガスを溶解させてオゾン水
を生成するように構成される、オゾン水生成装置であって、
オゾン分解触媒と排気ファンとを備え、前記容器内における原水に溶解されないオゾン
ガスを前記排気ファンで吸引するとともに前記オゾン分解触媒で酸素に分解して前記容器
外に排気するように構成される、オゾンガス処理ユニットを具備する、
オゾン水生成装置。
【請求項２】
前記容器は、開口部を有する槽部材と、前記槽部材の開口部に蓋をする蓋部材と、を備
え、前記オゾンガス処理ユニットの排気ファンで前記容器内における原水に溶解されない
オゾンガスを吸引したときに、前記蓋部材が前記槽部材の開口部に蓋をした状態で前記槽
部材に吸着されるように構成される、
請求項１に記載のオゾン水生成装置。
【請求項３】
前記容器の槽部材と蓋部材との間の隙間が大きくならないように前記隙間の大きさを調節する、隙間調節部材を具備する、
請求項２に記載のオゾン水生成装置。
【発明の詳細な説明】
【技術分野】
【０００１】
本発明は、オゾン水生成装置の技術に関する。
【背景技術】
【０００２】
従来、オゾン水を生成する技術は、種々知られている。
オゾン水とは、水にオゾン（Ｏ３）が溶解されてなるものである。
このようなオゾン水を生成する技術として、容器と、オゾンガス発生装置と、を備え、オゾンガス発生装置で発生させたオゾンガスを容器内に供給して、容器内の原水にオゾンガスを溶解させてオゾン水を生成するように構成される、オゾン水生成装置が公知となっている（特許文献１参照）。
【先行技術文献】
【特許文献】
【０００３】
【特許文献１】特開２００８−１１４１０１号公報
【発明の概要】
【発明が解決しようとする課題】
【０００４】
しかしながら、前記オゾン水生成装置では、オゾンガス発生装置から容器に供給されたオゾンガスの中には、原水（またはオゾン水）に溶解されずに容器内に存在するものがある。
そして、前記オゾン水生成装置では、前記原水に溶解されずに容器内に存在するオゾンガスが容器から漏洩することは好ましくないことから、容器を気密性が高い繁雑な構造（密閉構造）のものにして、当該オゾンガスが容器から漏洩することを防止していた。
【０００５】
本発明は以上の如き状況に鑑みてなされたものであり、容器を気密性の高い構造のものにすることなく、オゾンガスが容器から漏洩することを防止することを課題とする。
【課題を解決するための手段】
【０００６】
本発明の解決しようとする課題は以上の如くであり、次にこの課題を解決するための手段を説明する。
【０００７】
即ち、請求項１においては、オゾンガスを容器内に供給して、前記容器内の原水にオゾンガスを溶解させてオゾン水を生成するように構成される、オゾン水生成装置であって、オゾン分解触媒と排気ファンとを備え、前記容器内における原水に溶解されないオゾンガスを前記排気ファンで吸引するとともに前記オゾン分解触媒で酸素に分解して前記容器外に排気するように構成される、オゾンガス処理ユニットを具備するものである。
【０００８】
請求項２においては、前記容器は、開口部を有する槽部材と、前記槽部材の開口部に蓋をする蓋部材と、を備え、前記オゾンガス処理ユニットの排気ファンで前記容器内における原水に溶解されないオゾンガスを吸引したときに、前記蓋部材が前記槽部材の開口部に蓋をした状態で前記槽部材に吸着されるように構成されるものである。
【０００９】
請求項３においては、前記容器の槽部材と蓋部材との間の隙間が大きくならないように前記隙間の大きさを調節する、隙間調節部材を具備するものである。
【発明の効果】
【００１０】
本発明の効果として、以下に示すような効果を奏する。
【００１１】
即ち、本発明によれば、容器を気密性の高い構造のものにすることなく、オゾンガスが容器から漏洩することを防止することができる。
【図面の簡単な説明】
【００１２】
【図１】本発明の実施形態に係るオゾン水生成装置の全体的な構成を示した模式図。
【図２】同じくオゾン水生成装置を示した斜視図。
【図３】同じくオゾン水生成装置を示した拡大底面図。
【図４】同じくオゾン水生成装置を示した平面図。
【図５】同じくオゾン水生成装置を示した側面図。
【図６】同じくオゾン水生成装置を示した斜視図。
【図７】同じくオゾン水生成装置を示した拡大側面断面図。
【図８】同じくオゾン水生成装置の容器の槽部材と支持部材とを示した斜視図。
【図９】同じくオゾン水生成装置を示した拡大側面断面図。
【図１０】同じくオゾン水生成装置を示した拡大側面断面図。
【図１１】同じくオゾン水生成装置を示した拡大斜視図。
【発明を実施するための形態】
【００１３】
次に、図１から図３に記載のオゾン水生成装置１について説明する。
【００１４】
図１から図３に示すように、オゾン水生成装置１は、オゾンガスを容器２内に供給して、容器２内の原水またはオゾン水にオゾンガスを溶解させてオゾン水を生成するように構成される。
ここで、オゾン水とは、水にオゾン（Ｏ３）が溶解されてなるものである。
オゾン水生成装置１は、図１に示すように、容器２と、オゾンガス発生装置３と、供給管４と、供給器５と、オゾンガス処理ユニット６と、を具備して構成される。
【００１５】
オゾン水生成装置１の容器２は、原水またはオゾン水が溜められるように構成される。容器２は、例えば４００Ｌの原水またはオゾン水が溜められるように構成される。
容器２は、槽部材１０と、蓋部材２０と、を備えて構成される。
容器２の槽部材１０は、開口部１１を有し、原水またはオゾン水が溜められるように構成される。
容器２の蓋部材２０は、槽部材１０の開口部１１に蓋をするように構成される。
容器２は、例えば４００Ｌの原水またはオゾン水が槽部材１０に溜められた状態で、その液面と蓋部材２０との間に所定の空間（容器２内に原水またはオゾン水が溜められていない空間）が形成されるように構成される。
【００１６】
オゾン水生成装置１のオゾンガス発生装置３は、濃縮酸素を原料としてオゾンガスを発生するように構成される。
オゾン水生成装置１の供給管４は、その一端にオゾンガス発生装置３が接続され、その他端に供給器５が接続されて構成される。
オゾン水生成装置１の供給器５は、容器２（容器２の槽部材１０内の原水またはオゾン水）内に配置され、オゾンガス発生装置３において発生させて供給管４を介して供給されるオゾンガスを容器２（容器２の槽部材１０内の原水またはオゾン水）内においてバブル状にして供給するように構成される。
そして、オゾン水生成装置１は、オゾンガス発生装置３において発生させたオゾンガスを供給管４および供給器５を介して容器２内に供給して、容器２内の原水またはオゾン水に当該オゾンガスを溶解させてオゾン水を生成する（容器２内のオゾン水のオゾン濃度を上昇させる）ように構成される。
【００１７】
オゾン水生成装置１のオゾンガス処理ユニット６は、容器２の蓋部材２０に配置される。
オゾンガス処理ユニット６は、オゾン分解触媒７と、排気ファン８と、を備えて構成される。
オゾンガス処理ユニット６は、排気ファン８を動作させることによって容器２内（槽部材１０に溜められたオゾン水の液面と蓋部材２０との間に所定の空間）を負圧にして、容器２内のオゾンガス（容器２内における原水またはオゾン水に溶解されない前記所定の空間に存在するオゾンガス）を排気ファン８で吸引するとともにオゾン分解触媒７で酸素に分解して容器２外に排気するように構成される。
【００１８】
以上のように、オゾン分解触媒７と排気ファン８とを備え、容器２内における原水に溶解されないオゾンガスを排気ファン８で吸引するとともにオゾン分解触媒７で酸素に分解して容器２外に排気するように構成されるオゾンガス処理ユニット６を具備する、オゾン水生成装置１では、容器２内における原水またはオゾン水に溶解されないオゾンガスが酸素に分解されて容器２外に排気されることとなる。
したがって、オゾン水生成装置１によれば、容器２を気密性の高い構造のものにすることなく（簡易な構造で）、オゾンガスが容器２から漏洩することを防止することができる。
【００１９】
オゾン水生成装置１の容器２は、組立て式のもので構成される。
容器２は、複数本の支柱３０を備え、複数本の支柱３０によって槽部材１０が支持されて構成される。
【００２０】
オゾン水生成装置１の容器２の槽部材１０は、軟質素材（軟質の塩化ビニル素材）で構成される。
容器２の槽部材１０は、開口部１１と、側壁部１２と、を有して構成される。
容器２の槽部材１０は、上方に開口する有底略円筒状に構成される。
容器２の槽部材１０では、その上方の開口が開口部１１として構成され、その側面部分が側壁部１２として構成される。
容器２の槽部材１０は、その側壁部１２の外側（外面側）に位置するように複数本の支柱３０が配置されて、支柱３０に支持されるように構成される。
【００２１】
オゾン水生成装置１の容器２の蓋部材２０は、軟質素材（軟質の塩化ビニル素材）で構成される。
容器２の蓋部材２０は、槽部材１０の開口部１１を上方から覆うようにして配置されて、槽部材１０の開口部１１に蓋をするように構成される。
容器２の蓋部材２０は、本体部２１と、側部２２と、を有して構成される。
【００２２】
オゾン水生成装置１の容器２の蓋部材２０の本体部２１は、平面視略正円状に形成される。容器２の蓋部材２０の本体部２１は、槽部材１０の開口部１１よりも若干大きく形成される。
容器２の蓋部材２０の側部２２は、本体部２１の全周（縁部）から下方に突出するように設けられる。容器２の蓋部材２０の側部２２は、本体部２１の縁部を囲むように構成される。
【００２３】
オゾン水生成装置１の容器２の蓋部材２０は、その本体部２１が槽部材１０の開口部１１の上方に位置し、その側部２２が槽部材１０の側壁部１２の外側に位置するように配置されて、槽部材１０の開口部１１を覆うようにして槽部材１０の開口部１１に蓋をするように構成される。
容器２の蓋部材２０は、側部２２の上下方向（蓋底部から突出する方向の）の長さが、槽部材１０の側壁部１２の上下方向の長さよりも短く構成される。
容器２の蓋部材２０は、槽部材１０に蓋をしたときに、蓋部材２０の側部２２の下端が槽部材１０の側壁部１２の上下中途部に位置するように構成される。
【００２４】
オゾン水生成装置１の容器２は、オゾンガス処理ユニット６の排気ファン８で容器２内における原水またはオゾン水に溶解されないオゾンガスを吸引したときに、蓋部材２０（蓋部材２０の側部２２）が槽部材１０（槽部材１０の側壁部１２）に吸着されるように構成される。
容器２は、その蓋部材２０が軟質素材で構成されるため、オゾンガス処理ユニット６の排気ファン８で容器２内における原水またはオゾン水に溶解されないオゾンガスを吸引すると、容器２内が負圧になって蓋部材２０の側部２２が槽部材１０の側壁部１２に吸着されるように構成される。
容器２は、このように蓋部材２０が槽部材１０に吸着されたとき、槽部材１０の側壁部１２の外側に位置する複数本の支柱３０の周り（近傍）において、槽部材１０の側壁部１２の外面と蓋部材２０側部２２の内面との間に所定の隙間２３が形成されるように構成される。
容器２は、オゾンガス処理ユニット６の排気ファン８で容器２内における原水またはオゾン水に溶解されないオゾンガスを吸引したときに、槽部材１０の側壁部１２と蓋部材２０側部２２との間の所定の隙間２３から、容器２内に新気（容器２外の気体）が流入するように構成される。
なお、オゾン水生成装置１では、オゾンガス処理ユニット６の排気ファン８が、容器２内のオゾンガスを吸引したときに容器２の槽部材１０の側壁部１２と蓋部材２０の側部２２との間に所定の隙間２３が形成されるような吸引力を有して構成され、また、容器２の蓋部材２０が、オゾンガス処理ユニット６の排気ファン８によって容器２内のオゾンガスが吸引されたときに槽部材１０の側壁部１２と蓋部材２０の側部２２との間に所定の隙間２３が形成されるような素材（軟質素材）で構成される。
【００２５】
以上のように、容器２が、開口部１１を有する槽部材１０と、槽部材１０の開口部１１に蓋をする蓋部材２０と、を備え、オゾンガス処理ユニット６の排気ファン８で容器２内における原水（またはオゾン水）に溶解されないオゾンガスを吸引したときに蓋部材２０が槽部材１０の開口部１１に蓋をした状態で槽部材１０に吸着されるように構成される、オゾン水生成装置１では、蓋部材２０が槽部材１０の開口部１１に蓋をした状態で槽部材１０に吸着されるため、簡易な構造で気密性を向上させることができ、オゾンガスが容器２から漏洩することを防止することができる。
【００２６】
また、オゾン水生成装置１では、容器２の蓋部材２０が軟質素材で構成され、蓋部材２０が、槽部材１０の開口部１１を上方から覆うようにして配置されて、オゾンガス処理ユニット６の排気ファン８で容器２内における原水（またはオゾン水）に溶解されないオゾンガスを吸引したときに蓋をした状態で槽部材１０に吸着されるように構成されるため、容器２の蓋部材２０を槽部材１０に固定することを要さずに簡易な構造で気密性を向上させることができ、オゾンガスが容器２から漏洩することを防止することができる。
【００２７】
また、オゾン水生成装置１では、容器２の蓋部材２０は、その本体部２１が槽部材１０の開口部１１の上方に位置し、その側部２２が槽部材１０の側壁部１２の外側に位置するように配置されて、槽部材１０の開口部１１を覆うようにして槽部材１０の開口部１１に蓋をするように構成されるため、容器２の槽部材１０の開口部１１から異物が槽部材１０内に異物が入込むことを防止することができる。
【００２８】
次に、図４から図５に記載のオゾン水生成装置１について説明する。
なお、図４から図５に記載のオゾン水生成装置１の説明では、図１から図３に記載のオゾン水生成装置１と同様の構成の部分については適宜省略し、図１から図３に記載のオゾン水生成装置１の構成と異なる部分を中心に説明する。
【００２９】
図４から図５に示すように、オゾン水生成装置１の容器２の蓋部材２０は、側部２２の上下方向（蓋底部から突出する方向の）の長さが槽部材１０の側壁部１２の上下方向の長さよりも長く構成され、槽部材１０に蓋をしたときに蓋部材２０の側部２２の下端（床面側端部）が槽部材１０が配置される床面に至るように構成することもできる。
このとき、オゾン水生成装置１の容器２の蓋部材２０は、下端部に複数個の切込２４が形成されて、当該下端部（蓋部材２０の下端部の内側の面）が放射状に広がった状態で床面に当接するように構成される。
以上のように、容器２の蓋部材２０が、槽部材１０に蓋をしたときに蓋部材２０の側部２２の下端が床面に至るように構成される、オゾン水生成装置１では、蓋部材２０における槽部材１０に吸着される範囲が大きくなり、簡易な構造で気密性をより向上させることができる。
【００３０】
次に、図６から図８に記載のオゾン水生成装置１について説明する。
なお、図６から図８に記載のオゾン水生成装置１の説明では、図１から図５に記載のオゾン水生成装置１と同様の構成の部分については適宜省略し、図１から図５に記載のオゾン水生成装置１の構成と異なる部分を中心に説明する。
【００３１】
図６から図８に示すように、オゾン水生成装置１は、上記構成に加えて、支持部材３１と、隙間調節部材３５と、を具備する構成とすることもできる。
このとき、オゾン水生成装置１の容器２の槽部材１０は、複数個の保持体１３を有する構成とする。
【００３２】
オゾン水生成装置１の支持部材３１は、容器２の槽部材１０の側壁部１２が内側に倒れないように、槽部材１０の側壁部１２を支持する。
支持部材３１は、その外径が容器２の槽部材１０の開口部１１の内径と略同一の円環状に構成される。
支持部材３１は、容器２の槽部材１０の開口部１１の上端部近傍に配置される。支持部材３１は、槽部材１０の開口部１１の内側に配置される。
【００３３】
オゾン水生成装置１における容器２の槽部材１０の保持体１３は、支持部材３１を所定の位置（容器２の槽部材１０の開口部１１の上端部近傍）に保持するように構成される。
容器２の槽部材１０の保持体１３は、支柱３０の近傍にそれぞれ配置される。
容器２の槽部材１０の保持体１３は、帯状に構成され、支持部材３１に巻き付けるようにして、支持部材３１を保持する。
【００３４】
オゾン水生成装置１の隙間調節部材３５は、容器２の隙間２３（容器２の槽部材１０との蓋部材２０との間の隙間）が大きくならないように、隙間２３の大きさを調節する。
隙間調節部材３５は、複数個の挟み部材３５ａで構成される。
挟み部材３５ａは、容器２の上部における隙間２３が大きくならないように、隙間２３の大きさを調節する（小さくする）。
挟み部材３５ａは、弾性変形して、支持部材３１と容器２の槽部材１０と蓋部材２０とを、挟み込むことができるように構成される。
挟み部材３５ａは、容器２の上部の支柱３０間において、容器２の蓋部材２０の上方から、支持部材３１と容器２の槽部材１０と蓋部材２０とを、挟み込むようにして配置される。挟み部材３５ａは、容器２の蓋部材２０の上方から、支持部材３１と蓋部材２０の本体部２１と側部２２とを挟み込むようにして配置される。
【００３５】
以上のように、容器２の隙間２３が大きくならないように、隙間２３の大きさを調節する、挟み部材３５ａ（隙間調節部材３５）を備える、オゾン水生成装置１では、挟み部材３５ａによって、容器２の槽部材１０と蓋部材２０とを挟み込むことによって、容器２の上部の隙間２３が大きくならないようにして、隙間２３が小さい状態を保持することができる。
したがって、オゾン水生成装置１によれば、排気ファン８の吸引量を増加させることを要さずに、オゾンガスを吸引してオゾン分解触媒７で酸素に分解して容器２外に排気することができ、排気ファン８の吸引量が増加することによってオゾン分解触媒の量が増えることを防止することができる。
【００３６】
また、オゾン水生成装置１では、容器２の蓋部材２０を比較的軟質な素材で構成することにより、蓋部材２０の側部２２と槽部材１０側壁部１２との密着性を向上させることができる。
【００３７】
次に、図９に記載のオゾン水生成装置１について説明する。
なお、図９に記載のオゾン水生成装置１の説明では、図１から図８に記載のオゾン水生成装置１と同様の構成の部分については適宜省略し、図１から図８に記載のオゾン水生成装置１の構成と異なる部分を中心に説明する。
【００３８】
図９に示すように、オゾン水生成装置１の隙間調節部材３５は、複数個の重り部材３５ｂで構成される。
重り部材３５ｂは、容器２の蓋部材２０の側部２２に重量をかけて、蓋部材２０の側部２２が外側に広がることを防止することによって、容器２の隙間２３を隙間２３が大きくならないようにして、隙間２３の大きさを調節する。
重り部材３５ｂは、所定の重量を有するものであり、容器２の蓋部材２０の側部２２に配置される。
【００３９】
以上のように、容器２の隙間２３が大きくならないように、隙間２３の大きさを調節する、重り部材３５ｂ（隙間調節部材３５）を備える、オゾン水生成装置１では、重り部材３５ｂによって容器２の蓋部材２０の側部２２に重量をかけて、蓋部材２０の側部２２が外側に広がることを防止することによって、隙間２３が小さい状態を保持することができる。
したがって、オゾン水生成装置１によれば、排気ファン８の吸引量を増加させることを要さずに、オゾンガスを吸引してオゾン分解触媒７で酸素に分解して容器２外に排気することができ、排気ファン８の吸引量が増加することによってオゾン分解触媒の量が増えることを防止することができる。
【００４０】
なお、オゾン水生成装置１の隙間調節部材３５は、複数個の挟み部材３５ａと複数個の重り部材３５ｂとを備えて構成することもできる。
このように隙間調節部材３５を構成することにより、容器２の隙間２３の大きさの調節を容易に行うことができる。
【００４１】
次に、図１０に記載のオゾン水生成装置１について説明する。
なお、図１０に記載のオゾン水生成装置１の説明では、図１から図９に記載のオゾン水生成装置１と同様の構成の部分については適宜省略し、図１から図９に記載のオゾン水生成装置１の構成と異なる部分を中心に説明する。
【００４２】
図１０に示すように、オゾン水生成装置１の隙間調節部材３５は、複数個の留め部材３５ｃで構成される。
留め部材３５ｃは、ボタン、フック、または、ファスナ等の留め具であり、容器２の蓋部材２０の側部２２と槽部材１０側壁部１２とを留めて、蓋部材２０の側部２２が外側に広がることを防止することによって、容器２の隙間２３を隙間２３が大きくならないようにして、隙間２３の大きさを調節する。留め部材３５ｃは、容器２の蓋部材２０の側部２２と槽部材１０側壁部１２とを留めて、容器２の蓋部材２０の側部２２が外側に広がらないように（密着するように）する。
【００４３】
以上のように、容器２の隙間２３が大きくならないように、隙間２３の大きさを調節する、留め部材３５ｃ（隙間調節部材３５）を備える、オゾン水生成装置１では、留め部材３５ｃによって容器２の蓋部材２０の側部２２と槽部材１０側壁部１２とを留めて、蓋部材２０の側部２２が外側に広がることを防止することによって、隙間２３が小さい状態を保持することができる。
したがって、オゾン水生成装置１によれば、排気ファン８の吸引量を増加させることを要さずに、オゾンガスを吸引してオゾン分解触媒７で酸素に分解して容器２外に排気することができ、排気ファン８の吸引量が増加することによってオゾン分解触媒の量が増えることを防止することができる。
【００４４】
なお、オゾン水生成装置１の隙間調節部材３５は、複数個の挟み部材３５ａと複数個の留め部材３５ｃとを備えて構成することもできる。
このように隙間調節部材３５を構成することにより、容器２の隙間２３の大きさの調節を容易に行うことができる。
【００４５】
次に、図１１に記載のオゾン水生成装置１について説明する。
なお、図１１に記載のオゾン水生成装置１の説明では、図１から図１０に記載のオゾン水生成装置１と同様の構成の部分については適宜省略し、図１から図１０に記載のオゾン水生成装置１の構成と異なる部分を中心に説明する。
【００４６】
図１１に示すように、オゾン水生成装置１は、支持具４０を具備する構成とすることもできる。
支持具４０は、オゾンガス処理ユニット６を側方から支持して、オゾンガス処理ユニット６が容器２の蓋部材２０に配置された状態を安定させる。
支持具４０は、プレート４１と、柱部材４２と、台部材４３と、を備える。
支持具４０のプレート４１の一端は、オゾンガス処理ユニット６に固定される。プレート４１の他端部は、柱部材４２の上部に支持される。支持具４０の台部材４３は、柱部材４２の下端部が固定されて構成される。
【符号の説明】
【００４７】
１    オゾン水生成装置
２    容器
３    オゾンガス発生装置
４    供給管
５    供給器
６    オゾンガス処理ユニット
７    オゾン分解触媒
８    排気ファン
１０  槽部材
１１  開口部
１２  側壁部
２０  蓋部材
２１  本体部
２２  側部
【図１】
2014195799.tif 000003
【図２】
2014195799.tif 000004
【図３】
2014195799.tif 000005
【図４】
2014195799.tif 000006
【図５】
2014195799.tif 000007
【図６】
2014195799.tif 000008
【図７】
2014195799.tif 000009
【図８】
2014195799.tif 000010
【図９】
2014195799.tif 000011
【図１０】
2014195799.tif 000012
【図１１】
2014195799.tif 000013